(57)【要約】【課題】薬剤の投与計画に対応した管路系の構築方法を簡便に作業者に指示でき、かつ作業者にとって管路系の構築方法が分かりやすい管路系構築補助具を提供すること。【解決手段】薬剤を投与計画に従って投与するための管路系を構築するために用いられる管路系構築補助具１であって、前記管路系に組み込まれる複数の部品がそれぞれ図示され、互いに近接して配置されることで前記管路系の少なくとも一部を表す複数の表示片２１Ａ〜３６Ａを備えたことを特徴とする。【選択図】図１
0003158657.tif 000002
【実用新案登録請求の範囲】
【請求項１】
薬剤を投与計画に従って投与するための管路系を構築するために用いられる管路系構築補助具であって、
前記管路系に組み込まれる複数の部品がそれぞれ図示され、互いに近接して配置されることで前記管路系の少なくとも一部を表す複数の表示片を備えたことを特徴とする管路系構築補助具。
【請求項２】
前記複数の表示片には、少なくとも１種類の前記投薬計画に用いられる前記部品のすべてがそれぞれ図示されていることを特徴とする請求項１に記載の管路系構築補助具。
【請求項３】
前記複数の表示片は、前記図示された前記部品の名称と使用目的との少なくともいずれかが記載されていることを特徴とする請求項１または２に記載の管路系構築補助具。
【請求項４】
前記複数の表示片は、前記部品が前記図示された紙あるいは薄膜を有し、
前記紙あるいは薄膜は、前記図示された側と反対側に、前記配置する対象物に前記表示片を貼り付けるための貼付部を有していることを特徴とする請求項１から３のいずれか一項に記載の管路系構築補助具。
【請求項５】
前記貼付部は、粘着性の粘着層を有していることを特徴とする請求項４に記載の管路系構築補助具。
【請求項６】
前記貼付部は、永久磁石を有していることを特徴とする請求項４に記載の管路系構築補助具。
【考案の詳細な説明】
【技術分野】
【０００１】
本考案は、管路系構築補助具に関する。
【背景技術】
【０００２】
一般的に、医療現場では、薬剤を人体に投与して人体を治療することが行われている。このとき、薬剤の投与は、承認された投与計画（レジメン）に従って実施される。
レジメンは、薬剤を投与するときの投与順序やその投与間隔、あるいはポンプなど付帯機器を接続するタイミングなどの情報を含んでおり、一般的には時系列に沿って記載されている（例えば非特許文献１参照）。また、薬剤を人体に投与するときには、薬剤が溶解された液体を、輸液バッグや、チューブ、針管などを組み合わせて構築された管路系を介して血管内に送液する場合がある。
【先行技術文献】
【非特許文献】
【０００３】
【非特許文献１】医学書院  「安全・確実・安楽な  がん化学療法ナーシングマニュアル」  ２００９年２月１５日発行  Ｎｏ．８５
【考案の概要】
【考案が解決しようとする課題】
【０００４】
ここで、非特許文献１の例えば２４２ページには、ｍＦＯＬＦＯＸ６＋アバスチン初回投与時の流れが一例として記載されているが、薬剤の投与順序は記載されているものの実際の管路系（ルート）の構築方法は記載されていない。これは、薬剤を処方する医師のノウハウに基づいてルートの構築方法が異なる場合があり、ルートの構築方法は現場において適宜指示されるものだからである。このように、薬剤を投与する現場では、医師らはレジメンを記載した絵入りの指示書を手書きなどで都度作成していた。
しかしながら、指示書の作成は医師らにとって手間がかかるとともに、指示書を受け取った作業者は、指示書が不鮮明な場合には、管路系を構成する部品を混同したり部品の取り付け順序や配置位置を間違えたりしないように細心の注意を払う必要があった。
【０００５】
本考案は、上述した事情に鑑みてなされたものであって、その目的は、薬剤の投与計画に対応した管路系の構成を容易に図示できる管路系構築補助具を提供することである。
【課題を解決するための手段】
【０００６】
上記課題を解決するために、この考案は以下の手段を提案している。
本考案の管路系構築補助具は、薬剤を投与計画に従って投与するための管路系を構築するために用いられる管路系構築補助具であって、前記管路系に組み込まれる複数の部品がそれぞれ図示され、互いに近接して配置されることで前記管路系の少なくとも一部を表す複数の表示片を備えたことを特徴とする。
【０００７】
また、前記複数の表示片には、少なくとも１種類の前記投薬計画に用いられる前記部品のすべてがそれぞれ図示されていることが好ましい。
【０００８】
また、前記複数の表示片は、前記図示された前記部品の名称と使用目的との少なくともいずれかが記載されていることが好ましい。
【０００９】
また、前記複数の表示片は、前記部品が前記図示された紙あるいは薄膜を有し、前記紙あるいは薄膜は、前記図示された側と反対側に、前記配置する対象物に前記表示片を貼り付けるための貼付部を有していることが好ましい。
【００１０】
また、前記貼付部は、粘着性の粘着層を有していることが好ましい。
また、前記貼付部は、永久磁石を有していてもよい。
【考案の効果】
【００１１】
本考案の管路系構築補助具によれば、管路系を構成する部品が図示された表示片を組み合わせて管路系の少なくとも一部の構成を図示できるので、薬剤の投与計画に対応した管路系の構成を容易に図示できる。
【図面の簡単な説明】
【００１２】
【図１】本考案の第１実施形態の管路系構築補助具を示す図で、（Ａ）は同管路系構築補助具の収納状態を示す斜視図、（Ｂ）は同管路系構築補助具の使用時の１状態を示す斜視図である。
【図２】（Ａ）及び（Ｂ）は、同管路系構築補助具の一部の構成を示す斜視図である。
【図３】同管路系構築補助具の使用方法を説明するための説明図である。
【図４】同管路系構築補助具の使用例を示す説明図である。
【図５】同管路系構築補助具の他の使用例を示す説明図である。
【図６】同管路系構築補助具のさらに他の使用例を示す説明図である。
【図７】本考案の第２実施形態の管路系構築補助具を示す図で、（Ａ）は斜視図、（Ｂ）は同管路系構築補助具の一部の構成を示す斜視図である。
【考案を実施するための形態】
【００１３】
（第１実施形態）
以下、本考案の第１実施形態の管路系構築補助具１について図１ないし図６を参照して説明する。図１は、管路系構築補助具１を示す図で、（Ａ）は管路系構築補助具１の収納状態を示す斜視図、（Ｂ）は管路系構築補助具１の使用時の１状態を示す斜視図である。
また、図２（Ａ）及び図２（Ｂ）は、管路系構築補助具１の一部の構成を示す斜視図である。また、図３は、管路系構築補助具１の使用方法を説明するための説明図である。また、図４は、管路系構築補助具１の使用例を示す説明図である。また、図５は、管路系構築補助具１の他の使用例を示す説明図である。また、図６は、管路系構築補助具１のさらに他の使用例を示す説明図である。
【００１４】
図１（Ａ）及び図１（Ｂ）に示すように、管路系構築補助具１は、例えば紙などで構成された外装１０によって冊子状に形成されている。
【００１５】
外装１０の内面１０Ａには、医療現場において薬剤を投与するために使用される管路系（ルート）を構築するための複数種類の部品が図示された複数種類の表示片部（表示片部２１、表示片部２２、表示片部２３、表示片部２４、表示片部２５、表示片部２６、表示片部２７、表示片部２８、表示片部２９、表示片部３０、表示片部３１、表示片部３２、表示片部３３、表示片部３４、表示片部３５、表示片部３６、以下、これらをまとめて「表示片部２１〜３６」と略して表記する）を有している。
【００１６】
表示片部２１〜３６は、外装１０の内面に４行４列に整列して配置されており、４行のそれぞれの間に外装１０の折り目１１、折り目１２、折り目１３が形成されている。外装１０は、これらの折り目１１、１２、１３に沿って畳まれて、図１（Ａ）に示すように表示片部２１〜３６を内部に収納するようになっている。
【００１７】
表示片部２１〜３６は、表示片部２１〜３６のそれぞれに複数の表示片２１Ａ〜３６Ａを有している。
【００１８】
以下では、表示片部２１の構成について図２を参照して説明する。なお、本実施形態では表示片部２１〜３６は同形同大であるので、表示片部２１の構成を代表して説明し、他の表示片部の説明は省略する。
【００１９】
図２（Ａ）及び図２（Ｂ）に示すように、表示片部２１は、紙によって形成された複数の表示片２１Ａが表示片２１Ａの厚さ方向に積層されている。
【００２０】
表示片２１Ａは、表示片２１Ａの一方の面に部品の外径形状が図示された表示部２１Ｂと、表示部２１Ｂが図示された面と同一面に表記された表示部２１Ｃと、表示部２１Ｂ及び表示部２１Ｃが図示あるいは表記された面と反対側の面に形成された粘着層２１Ｄとを有している。
【００２１】
表示部２１Ｂは、上述の管路系を構成する部品のひとつで、薬剤が溶解された液体を収容するための輸液バッグに差し込まれて使用されるＬ字形状のコネクタが図示されたものである。表示部２１Ｂには、指示書を作成する医師等の指示者や実際に管路系を構築する作業者によって部品の特徴的な形状が容易に把握できるように図示されていることが好ましい。例えば、表示部２１ＢにおけるＬ字形状のコネクタの図は、Ｌ字形状であることが認識できる方向から見たコネクタの外径形状が図示されている。
【００２２】
表示部２１Ｃは、表示部２１Ｂに図示されたコネクタの形状及び機能を表現する文字列として「Ｌコネクタ」という文字列が表記されている。なお、表示部２１Ｃには、表示部２１Ｂに図示された部品の具体的な名称あるいは商品名、商標などや、表示部２１Ｂに図示された部品の寸法などを表記することもできる。この場合、表示部２１Ｃに設けられたこれらの表記によって、部品の外径形状から容易に把握されるような周知の部品以外の特殊な部品を、混同あるいは取り違えを起こすことなく選び出すのを補助することができる。
【００２３】
表示部２１Ｂに図示された図と、表示部２１Ｃに表記された文字列とは、互いに関連しており、かつ表示片部２１〜３６のそれぞれの間で重複あるいは混同を起こさないように明瞭に区別されて設けられている。
【００２４】
粘着層２１Ｄは、粘着性を有する粘着材が塗布あるいは貼り付けられて形成されている。粘着層２１Ｄの接着強度は、積層された表示片２１Ａを個別に分離できるとともに、紙や樹脂などで形成された支持体に対して着脱自在に表示片２１Ａを接着できる強度であることが好ましい。本実施形態では、表示片２１Ａ〜３６Ａが接着された前述の支持体を、薬剤を投与するための管路系を指示するための指示書として使用するようになっている。
【００２５】
以下、表示片２２Ａ〜３６Ａにおける各表示部について図１（Ｂ）を参照して説明する。なお、各表示部に表示される部品については、以下で説明する部品に限られるものではなく、薬剤を投与するための管路を構成する適宜の部品、あるいは人体に投与する薬剤を取り扱うために使用される各種の部品を組み合わせたものなどを図示及び表記することができる。
また、周知の構成および機能を有する部品が図示及び表記された表示片についてはその部品の名称のみ説明し、その部品の構成や機能についての説明を省略する。
【００２６】
表示片２２Ａは、薬剤が封入されたバイアルから薬剤を取り出すためにシリンジなどに取り付け、またシリンジ内に吸引した薬剤を管路系に注入するためのインジェクタが図示され、「インジェクタ」という文字列が表記されている。また、表示片２２Ａに示されたインジェクタは、ルアーロックによってシリンジに接続可能であり、シリンジとインジェクタとの接続部から薬剤が洩出することを抑制できる構成を有している。このため、インジェクタを使用する作業者にルアーロック式のシリンジを使用することを促すために表示片２２Ａには、「ルアーロック」という表記を有する表示部がさらに設けられている。
【００２７】
表示片２３Ａは、薬液が封入された輸液バッグから薬液を管路系に流通させるための輸液アダプタが図示され、「輸液アダプタ」という文字列が表記されている。
【００２８】
表示片２４Ａは、上述のインジェクタが取り付けられたシリンジを用いて管路系に薬剤を注入するための、インジェクタと管路系との間に介在されるコネクタが図示され、「コネクタ」及び「ルアーロック」という文字列が表記されている。なお、このコネクタは、管路系からコネクタを介して薬剤や薬液が洩出することを抑制する図示しない逆流防止機構が設けられたものである。
【００２９】
表示片２５Ａは、輸液バッグが図示されている。
表示片２６Ａは、点滴筒が図示されており、特に、管路系を構成するチューブの間に介在されるタイプの点滴筒が図示されている。
表示片２７Ａは、管路系を流通する薬液から結晶や析出物を除去するためのフィルターユニットが図示されている。
表示片２８Ａは、クレンメが図示されている。
【００３０】
表示片２９Ａは、シリンジが図示されている。
表示片３０Ａは、点滴筒が図示されており、特に、輸液バッグに直接接続するタイプの点滴筒が図示されている。
表示片３１Ａは、輸液バッグに差し込んで輸液バッグ内の薬液を管路系へ導くための針状のスパイクが図示されている。
表示片３２Ａは、管路系の末端や他の部品との接続部に接続される接続端子が図示されている。なお、表示片３２Ａには接続端子に個有の接続方法が識別できる詳細な図示を施してもよいが、汎用性を高めるために接続端子であることが理解される程度に図示が簡略化されていてもよい。
【００３１】
表示片３３Ａは、三方活栓が図示されている。表示片３３Ａには流路を切り替えるためのレバーの図示が省略されており、レバーを有しない分岐コネクタを示すこともでき、また適切な流路方向を指示するためにレバーを書き加えることができるようになっている。
表示片３４Ａは、三方活栓が直列に２つ接続されたものが図示されている。表示片３４Ａも表示片３３Ａと同様にレバーの図示が省略されて設けられている。
【００３２】
表示片３５Ａは、「レジメン投与手順（案）」という文字列が表記されており、指示書における定型文の一種であるタイトル（見出し）として使用できるようになっている。なお、表示片３５Ａのように、文字列が表記された他の表示片をさらに備えてもよく、例えば重要な注意事項や禁忌事項などが表記された表示片を備えていてもよい。
【００３３】
表示片３６Ａは、あらかじめ図示あるいは表記された表示部を有するものではなく、管路系を構築するために必要な特記事項や、上述の各表示片に示されていない部品などを示すための空の表示部が設けられているものである。
【００３４】
以上に説明した構成の、本実施形態の管路系構築補助具１の使用方法について、図３を参照して以下に説明する。
管路系構築補助具１を使用する使用者は、例えばコピー用紙などの適宜の紙、あるいは樹脂シートなどを支持体１００として使用し、支持体１００に表示片２１Ａ〜３６Ａを貼り付けてゆく。例えば図３に示すように、使用者は、まず輸液バッグを示す表示片２５Ａを支持体１００に貼り付ける。続いて、輸液バッグに差し込んで使用するコネクタを示す表示片２１Ａを表示片２５Ａの近傍の所定の位置に貼り付ける。具体的には、輸液バッグにおいてコネクタを差し込むための差し込み口が図示されている部分の近傍に、コネクタにおいて輸液バッグに差し込むための突起部が位置するようにする。
【００３５】
これにより、輸液バッグにコネクタを接続することを指示することができ、表示片２１Ａ及び表示片２５Ａが上述の位置関係に配置された支持体１００を指示書として受け取った作業者は輸液バッグにコネクタを取り付けることが指示されていることを容易に理解することができる。
【００３６】
このように、本実施形態の管路系構築補助具１によれば、管路系を構成する部品が図示された表示片を組み合わせて管路系の少なくとも一部の構成を図示できるので、薬剤の投与計画に対応した管路系の構成を容易に図示できる。
【００３７】
以下、本実施形態の管路系構築補助具１を使用して管路系を構築するための指示書を作成する具体的な使用例を、図４ないし図６を参照して説明する。
（使用例１）
図４は、生理食塩水（以下「生食」と称する。）と、薬液Ｘ１、薬液Ｘ２及び薬液Ｘ３とを用いたＡ療法のレジメン（投与計画）を指示する指示書を示す図である。
【００３８】
図４に示すように、本使用例の指示書は、上部に表示片３５Ａが貼り付けられ、表示片３５Ａの近傍に「Ａ療法」という記載が手書きで付加されている。
さらに、指示書の下部には、薬剤の投与を受ける患者の手を示す模式図が手書きで付加されており、薬剤を投与するための管路系は指示書の上部から下部に向かって延びて示されている。
【００３９】
また、複数の表示片２５Ａには、「生食」、「薬液Ｘ１」、及び「薬液Ｘ２」という文字列が手書きで付加されている。例えば、図４に示す指示書の紙面左側の生食の輸液バッグから患者の手に向かって延びる管路系は、表示片２５Ａ、表示片３１Ａ、表示片２６Ａ、表示片２８Ａ、表示片３４Ａ、表示片３３Ａがこの順に並べて配置され、各表示片の間は、チューブが連続するように手書きで補完されている。
【００４０】
また、薬液Ｘ１と記載された表示片２５Ａには、表示片２１Ａ及び表示片３１Ａが近接して貼り付けられている。
【００４１】
また、薬液Ｘ２と記載された表示片２５Ａには、表示片２３Ａが近接して貼り付けられており、表示片２３Ａには、表示片２２Ａ及び表示片２９Ａがさらに貼り付けられている。これにより、薬液Ｘ２が封入された輸液バッグに輸液アダプタを取り付け、さらに輸液アダプタにはインジェクタ及び生食入りシリンジを取り付けることが示されている。
【００４２】
また、指示書の紙面右側の表示片２５Ａには、表示片３０Ａ、表示片２８Ａ、及び表示片３２Ａがこの順に貼り付けられており、表示片２５Ａの近傍には「プライミング」という文字列が手書きで付加されている。プライミングとは、管路系に液体を充填して空気を追い出す作業を示す用語であり、本使用例では、薬液Ｘ２を流通させるための管路系に生食を流通させ、接続端子から生食を滴下させることでプライミングを行うことが示されている。なお、紙面右側の点滴筒から輸液アダプタ（表示片２３Ａ）に向かって指示書に矢印が付加されていることで、プライミングが終了した管路系が輸液アダプタ及び三方活栓に接続されることが示されている。
【００４３】
また、表示片３４Ａの近傍には表示片２４Ａ、表示片２２Ａ、表示片２９Ａがこの順に貼り付けられており、薬液Ｘ３が収容されたシリンジを、インジェクタ及びコネクタ（ルアーロック）を介して三方活栓に接続することが示されている。
【００４４】
また、図４に示す指示書には、丸印で囲まれた数字１から７が手書きで付加されており、薬液を投与するために管路系を組み替える順序が示されている。
【００４５】
このように本使用例に示す指示書では、指示書を作成する指示者は各表示片を組み合わせて管路系の大部分を図示することができ、指示書に基づいて作業を行う作業者は、７通りの組み替えを行う管路系の構築方法及びその使用方法を容易に把握することができる。
【００４６】
（使用例２）
図５は、生食と、薬液Ｙ１、薬液Ｙ２、薬液Ｙ３、薬液Ｙ４とを用いたＢ療法のレジメン（投与計画）を指示する指示書を示す図である。なお、以下では、上述の使用例１と異なる部分のみ説明し、重複する説明は省略する。
図５に示すように、本使用例では、薬液Ｙ２と薬液Ｙ３とは同時に投与されるようになっており、管路系を接続する際には注意する必要がある。このため、表示片３６Ａに注意事項として「薬液Ｙ２と薬液Ｙ３は同時投与」と記載された表示片３６Ａが貼り付けられている。
【００４７】
また、「４後にインフューザーポンプを接続する」と記載された別の表示片３６Ａが貼り付けられており、投与手順の第４工程の終了後に指示書に図示されていない装置を管路系に接続することが示されている。
【００４８】
また、管路系を構成するチューブには、上述のプライミングを行うことを示す矢印が記載されている。
また、指示書（支持体１００）の紙面の下部には、指示書に記載された記号類の説明の一覧表４０が付加されている。
また、指示書（支持体１００）の紙面には、注意事項が記載されたメモＭが貼り付けられている。
【００４９】
このような使用例であっても上述の使用例１と同様に、指示書を作成する指示者は各表示片を組み合わせて管路系の大部分を図示することができ、指示書に基づいて作業を行う作業者は、組み替えを行う管路系の構築方法及びその使用方法を容易に把握することができる。
【００５０】
（使用例３）
図６は、生食と、前投薬Ｚ１、薬液Ｚ２、前投薬Ｚ３、薬液Ｚ４とを用いたＣ療法のレジメン（投与計画）を指示する指示書を示す図である。なお、本使用例でも、上述の使用例１と異なる部分のみ説明し、重複する説明は省略する。
図６に示すように、本使用例では、前投薬Ｚ３及び薬液Ｚ４を投与するための管路系のチューブの一部に表示片２７Ａが介在されるように配置されている。これにより、チューブにフィルターユニットを割り込ませて管路系を構築することが示されている。
【００５１】
このような使用例であっても上述の使用例１及び使用例２と同様に、指示書を作成する指示者は各表示片を組み合わせて管路系の大部分を図示することができ、指示書に基づいて作業を行う作業者は、組み替えを行う管路系の構築方法及びその使用方法を容易に把握することができる。
【００５２】
（第２実施形態）
次に、本考案の第２実施形態の管路系構築補助具２について図７（Ａ）及び図７（Ｂ）を参照して説明する。図７は、管路系構築補助具２の構成を示す図で、（Ａ）は斜視図、（Ｂ）は管路系構築補助具２の一部の構成を示す斜視図である。
図７（Ａ）に示すように、管路系構築補助具２は、例えば紙によって形成された箱状の外装２１０に、板状の表示片２２１Ａを複数有する表示片部２２１が収容されて構成されている。
【００５３】
表示片２２１Ａは、第１実施形態と同様に表示部２１Ｂ、２１Ｃが設けられている。また、表示片２２１Ａにおいて表示部２１Ｂ、２１Ｃが設けられた側と厚さ方向で反対側には、永久磁石を含む貼付部２２１Ｄが設けられている。
【００５４】
貼付部２２１Ｄとしては、例えばゴム磁石や板状のフェライト磁石など、適宜の磁石を選択して採用することができる。
【００５５】
なお、図示していないが、表示部２１Ｂ、２１Ｃに示された部品の種類が異なる複数種類の表示片が本実施形態の管路系構築補助具２には設けられている。このような部品の組み合わせとしては、例えば上述の使用例のＡ療法、Ｂ療法、Ｃ療法の少なくとも１つの使用例で使用される部品を組み合わせることができ、また、上述の使用例のＡ療法、Ｂ療法、Ｃ療法に限らず薬剤を投与する管路系に適した部品を適宜組み合わせることができる。
【００５６】
本実施形態では、管路系構築補助具２の表示片２２１Ａは、磁性体に着脱自在に貼り付けることができ、これにより上述の磁性体の面上で管路系を構築する図を作成することができる。
このような構成であっても、上述の第１実施形態と同様に、指示書を作成する指示者は各表示片を組み合わせて管路系の大部分を図示することができ、指示書に基づいて作業を行う作業者は、組み替えを行う管路系の構築方法及びその使用方法を容易に把握することができる。このため、薬剤の投与計画に対応した管路系の構築方法を簡便に作業者に指示でき、かつ作業者にとって管路系の構築方法が分かりやすい。
また、本実施形態の管路系構築補助具２は、永久磁石を含む貼付部２２１Ｄを有しているので、例えば黒板やホワイトボード上で管路系の図を示すことができ、カンファレンスや教育の現場において輸液手順を簡便に示して説明するための補助具として使用することができる。
【００５７】
以上、本考案の実施形態について図面を参照して詳述したが、具体的な構成はこの実施形態に限られるものではなく、本考案の要旨を逸脱しない範囲の設計変更等も含まれる。
例えば、上述の実施形態では、ひとつの表示片にはひとつの部品が図示された例を示したが、これに限らず、ひとつの表示片に複数の部品を図示してもかまわない。このとき、複数の部品はそれらが組み合わされて使用されるときの外形形状が示されていることが好ましい。この場合、あらかじめ決まった組み合わせで使用される複数の部品を容易に図示することができる。
【００５８】
また、第１実施形態に示した管路系構築補助具と第２実施形態に示した管路系構築補助具とは適宜に組み合わせて構成することができる。
【００５９】
また、上述の各実施形態で説明した管路系構築補助具から容易に理解されるように、管路系構築補助具は、電子的な方法によって画像を組み合わせて出力するプログラムとして構成することができる。すなわち、管路系を構築する複数の部品の画像情報を有する画像ファイルと、この画像ファイルを配置するための表示領域とをディスプレイ上に表示させ、使用者が画像ファイルを選択してたとえばドラッグアンドドロップの手法などを用いて画像ファイルを表示領域に配置する動作に対応して、上述の部品の画像を表示領域に表示し、さらに表示領域に部品が表示された状態をハードコピーその他の手段で紙などに印刷したり適宜のコンピュータに対して送信したりするプログラムも、本考案の管路系構築補助具と同様の効果を奏するものである。
【符号の説明】
【００６０】
１、２  管路系構築補助具
１０、２１０  外装
２１〜３６  表示片部
２１Ａ〜３６Ａ  表示片
２１Ｂ、２１Ｃ  表示部
２１Ｄ  粘着層（貼付部）
２２１Ｄ  貼付部
【図１】
0003158657.tif 000003
【図２】
0003158657.tif 000004
【図３】
0003158657.tif 000005
【図４】
0003158657.tif 000006
【図５】
0003158657.tif 000007
【図６】
0003158657.tif 000008
【図７】
0003158657.tif 000009
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
薬剤を投与計画に従って投与するための管路系を構築するために用いられる管路系構築補助具であって、
前記管路系に組み込まれる複数の部品がそれぞれ図示され、互いに近接して配置されることで前記管路系の少なくとも一部を表す複数の表示片を備え、
前記複数の表示片は、前記部品が図示された紙あるいは薄膜あるいは板によって形成され、
前記複数の表示片は、前記部品が図示された面と反対側の面に、板状あるいは紙状に形成された支持体に前記表示片を貼り付けるための貼付部を有している
ことを特徴とする管路系構築補助具。
【請求項２】
前記複数の表示片には、少なくとも１種類の前記投与計画に用いられる前記部品のすべてがそれぞれ図示されていることを特徴とする請求項１に記載の管路系構築補助具。
【請求項３】
前記複数の表示片は、前記図示された前記部品の名称と使用目的との少なくともいずれかが記載されていることを特徴とする請求項１または２に記載の管路系構築補助具。
【請求項４】
前記貼付部は、粘着性の粘着層を有していることを特徴とする請求項１から３のいずれか一項に記載の管路系構築補助具。
【請求項５】
前記貼付部は、永久磁石を有していることを特徴とする請求項１から３のいずれか一項に記載の管路系構築補助具。
【手続補正２】
【補正対象書類名】明細書
【補正対象項目名】０００６
【補正方法】変更
【補正の内容】
【０００６】
上記課題を解決するために、この考案は以下の手段を提案している。
本考案の管路系構築補助具は、薬剤を投与計画に従って投与するための管路系を構築するために用いられる管路系構築補助具であって、前記管路系に組み込まれる複数の部品がそれぞれ図示され、互いに近接して配置されることで前記管路系の少なくとも一部を表す複数の表示片を備え、前記複数の表示片は、前記部品が図示された紙あるいは薄膜あるいは板によって形成され、前記複数の表示片は、前記部品が図示された面と反対側の面に、板状あるいは紙状に形成された支持体に前記表示片を貼り付けるための貼付部を有している
ことを特徴とする。
【手続補正３】
【補正対象書類名】明細書
【補正対象項目名】０００７
【補正方法】変更
【補正の内容】
【０００７】
また、前記複数の表示片には、少なくとも１種類の前記投与計画に用いられる前記部品のすべてがそれぞれ図示されていることが好ましい。
【手続補正４】
【補正対象書類名】明細書
【補正対象項目名】０００９
【補正方法】削除
【補正の内容】